(57)【要約】【課題】感光体表面への傷の発生や異物固着を防止し、安定なクリーニング性を長期間維持できるクリーニング装置、及び該クリーニング装置を備える画像形成装置を提供する。【解決手段】電子写真感光体表面に当接配置された第１のブラシローラと、該第１のブラシローラに当接配置された第１の回収部材と、前記第１のブラシローラに対し前記電子写真感光体の回転方向下流側に当接配置されると共に、当該電子写真感光体表面に固形潤滑剤を供給する機能を有する第２のブラシローラと、該第２のブラシローラに当接配置された第２の回収部材と、を有し、前記第１のブラシローラを構成するブラシ繊維１本当たりの先端力Ｆ１が５．０×１０−５〜１．５×１０−３、前記第２のブラシローラを構成するブラシ繊維１本当たりの先端力Ｆ２が４．０×１０−５〜５．０×１０−４である電子写真感光体用クリーニング装置、及び該クリーニング装置を備える画像形成装置。【選択図】      なし【特許請求の範囲】
【請求項１】
電子写真感光体表面に当接配置された第１のブラシローラと、該第１のブラシローラに当接配置された第１の回収部材と、前記第１のブラシローラに対し前記電子写真感光体の回転方向下流側に当接配置されると共に、当該電子写真感光体表面に固形潤滑剤を供給する機能を有する第２のブラシローラと、該第２のブラシローラに当接配置された第２の回収部材と、を有する電子写真感光体用クリーニング装置であって、
前記第１のブラシローラを構成するブラシ繊維１本当たりの先端力Ｆ１が下記関係式（１）を満たし、かつ、前記第２のブラシローラを構成するブラシ繊維１本当たりの先端力Ｆ２が下記関係式（２）を満たすことを特徴とする電子写真感光体用クリーニング装置。
関係式（１）  ５．０×１０−５  ≦  Ｆ１  ≦  １．５×１０−３
関係式（２）  ４．０×１０−５  ≦  Ｆ２  ≦  ５．０×１０−４
【請求項２】
前記固形潤滑剤が、脂肪酸金属塩であることを特徴とする請求項１に記載の電子写真感光体用クリーニング装置。
【請求項３】
前記第１のブラシローラ及び前記第２のブラシローラには正極若しくは負極の電圧が印加され、かつ、前記第１の回収部材には前記第１のブラシローラより高い電圧が印加され、第２の回収部材には前記第２のブラシローラより高い電圧が印加されることを特徴とする請求項１又は２記載の電子写真感光体用クリーニング装置。
【請求項４】
電子写真感光体と、前記電子写真感光体表面を帯電させる帯電手段と、前記電子写真感光体を露光して静電潜像を形成する露光手段と、トナーにより前記静電潜像を現像してトナー像を形成する現像手段と、転写後の前記電子写真感光体の表面をクリーニングするクリーニング手段とを備える画像形成装置にあって、
前記クリーニング手段が請求項１〜３のいずれかに記載の電子写真感光体用クリーニング装置であることを特徴とする画像形成装置。
【請求項５】
前記電子写真感光体が、電荷輸送性を有すると共に架橋構造を有するシロキサン系樹脂を含む表面層を備え、かつ、前記トナーが、体積平均粒径３〜１０μｍの範囲で、形状係数（ＳＦ）が１００〜１４０の範囲の球形状トナーであることを特徴とする請求項４に記載の画像形成装置。
【請求項６】
前記シロキサン系樹脂が、下記一般式（Ｉ）で表される化合物であることを特徴とする請求項５に記載の画像形成装置。
一般式（Ｉ）    Ｇ−Ｄ−Ｆ
（一般式（Ｉ）中、Ｇは無機ガラス質ネットワークサブグループを表し、Ｄは可とう性有機サブユニットを表し、Ｆは電荷輸送性サブユニットを表す。）
【請求項７】
前記一般式（Ｉ）で表される化合物が、下記一般式（ＩＩ）で表される化合物であることを特徴とする請求項６に記載の画像形成装置。
【化１】
2005010489.tif 000009
（一般式（ＩＩ）中、Ａｒ１〜Ａｒ４はそれぞれ独立に置換又は未置換のアリール基を示し、Ａｒ５は置換若しくは未置換のアリール基又はアリーレン基を示し、かつＡｒ１〜Ａｒ５のうち１〜４個は−Ｄ−Ｇで表される結合基と結合可能な結合手を有する。Ｄは可とう性サブユニット、Ｇは−Ｓｉ（Ｒ１）（３−ｂ）Ｑａで示される加水分解性基を有する置換ケイ素基から誘導され、Ｒ１は水素、アルキル基、置換或いは未置換のアリール基、Ｑは加水分解性基を表す基、ａは１〜３の整数、ｂは１〜４の整数を表す。）
【発明の詳細な説明】
【０００１】
【発明の属する技術分野】
本発明は、電子写真方式を用いた画像形成装置において、転写後の前記電子写真感光体の表面の残留トナーを除去する（クリーニングする）電子写真感光体用クリーニング装置及び画像形成装置に関するものである。
【０００２】
【従来の技術】
従来より、電子写真法では、電子写真感光体表面を帯電、露光して作成した静電潜像に着色トナーを現像して可視像を作成し、トナー像を転写紙等に転写し、これを熱ロール等で定着して画像を形成している。転写工程を終えた電子写真感光体（以下、適宜、電子写真感光体と称する。）表面には、未転写のトナー及び帯電プロセスによって生成した付着物（以下、放電生成物と称する。）などが残留するため、これらの残留物を次の画像形成プロセスに先立って除去するクリーニングプロセスが必要になる。
【０００３】
かかるクリーニングプロセスにおいては、感光層表面をクリーニングブレードやクリーニングブラシを用い、それらの一端の感光体表面に当接・摺擦させて表面に付着したトナーや放電生成物を除去するような構成がよく知られている。
このように感光体表面は、クリーニングブレード等の摺擦による機械的ストレスや、帯電器による化学的ストレスを受けるため、近年最も広く用いられている有機感光体においては表面層の磨耗と傷が課題であった。この課題に対し、アモルファスシリコン等の無機感光体や感光体表面に高強度の保護層を用いた感光体を用いることで、磨耗量を少なくすることが行われている。しかしながら、磨耗を少なくすると、一度傷が形成されると低磨耗ゆえに傷が消失せず、傷部に付着したトナー成分や放電生成物を完全に除去することが困難になり、高湿度下の環境では放電生成物等による画像流れが発生するといった問題が起きている。
【０００４】
よって、磨耗を精密に制御しつつ付着物を完全に除去することが検討されてきた。例えば、機械的耐久性を目的として電荷輸送能を有する構造単位をシロキサン樹脂中に組み込んだ感光体と、残留トナーや付着物の除去を目的とし、ブラシデニール／繊維密度を規定したブラシローラーとクリーニングブレードの組み合わせが提案されている（例えば、特許文献１参照。）。しかし、これだけでは感光体表面のトナーや付着物の除去には不完全で、蓄積した付着物により画像品質が低下する問題が発生している。
また、シロキサン樹脂層を有する感光体とクリーニングブレードとの組み合わせは、クリーニングブレードが受けるダメージが大きく、エッジの欠けやメクレが発生してしまいクリーニング性の維持が困難である。
【０００５】
また、２つのブラシローラーに正負のバイアスを印加し、感光体表面から正負の帯電トナー取り除くクリーニング装置が提案されている（例えば、特許文献２参照。）。しかし、この構成では、感光体上のトナーをきれいに取り除くことはできず、また、シロキサン樹脂層を有する感光体と組み合わせた場合では、表面研磨と表面傷の両立はできない。
【０００６】
【特許文献１】
特開２００１−５１５７６号公報
【特許文献２】
特開平４−３３０４８２号公報
【０００７】
【発明が解決しようとする課題】
本発明は前記従来における諸問題を解決し、以下の目的を達成することを課題とする。即ち、本発明の目的は、感光体表面への傷の発生を防止すると共に、異物固着を防止し、長期に渡って安定なクリーニング性を維持できるクリーニング装置、及び該クリーニング装置を備える画像形成装置を提供することである。また、特に、表面層にシロキサン樹脂層を有する感光体と、球形状トナーと、を用いた画像形成装置においても、上記の効果が得られるクリーニング装置、及び該クリーニング装置を備える画像形成装置を提供することである。
【０００８】
【課題を解決するための手段】
上述各問題に鑑みて本発明者は鋭意検討した結果、本発明の如き結論に達した。
即ち本発明は、
＜１＞  電子写真感光体表面に当接配置された第１のブラシローラと、該第１のブラシローラに当接配置された第１の回収部材と、前記第１のブラシローラに対し前記電子写真感光体の回転方向下流側に当接配置されると共に、当該電子写真感光体表面に固形潤滑剤を供給する機能を有する第２のブラシローラと、該第２のブラシローラに当接配置された第２の回収部材と、を有する電子写真感光体用クリーニング装置であって、
前記第１のブラシローラを構成するブラシ繊維１本当たりの先端力Ｆ１が下記関係式（１）を満たし、かつ、前記第２のブラシローラを構成するブラシ繊維１本当たりの先端力Ｆ２が下記関係式（２）を満たすことを特徴とする電子写真感光体用クリーニング装置である。
関係式（１）  ５．０×１０−５  ≦  Ｆ１  ≦  １．５×１０−３
関係式（２）  ４．０×１０−５  ≦  Ｆ２  ≦  ５．０×１０−４
【０００９】
＜２＞  前記固形潤滑剤が、脂肪酸金属塩であることを特徴とする＜１＞に記載の電子写真感光体用クリーニング装置である。
【００１０】
＜３＞  前記第１のブラシローラ及び前記第２のブラシローラには正極若しくは負極の電圧が印加され、かつ、前記第１の回収部材には前記第１のブラシローラより高い電圧が印加され、第２の回収部材には前記第２のブラシローラより高い電圧が印加されることを特徴とする＜１＞又は＜２＞記載の電子写真感光体用クリーニング装置である。
【００１１】
＜４＞  電子写真感光体と、前記電子写真感光体表面を帯電させる帯電手段と、前記電子写真感光体を露光して静電潜像を形成する露光手段と、トナーにより前記静電潜像を現像してトナー像を形成する現像手段と、転写後の前記電子写真感光体の表面をクリーニングするクリーニング手段とを備える画像形成装置にあって、
前記クリーニング手段が＜１＞〜＜３＞のいずれかに記載の電子写真感光体用クリーニング装置であることを特徴とする画像形成装置である。
【００１２】
＜５＞  前記電子写真感光体が、電荷輸送性を有すると共に架橋構造を有するシロキサン系樹脂を含む表面層を備え、かつ、前記トナーが、体積平均粒径３〜１０μｍの範囲で、形状係数（ＳＦ）が１００〜１４０の範囲の球形状トナーであることを特徴とする＜４＞に記載の画像形成装置である。
【００１３】
＜６＞  前記シロキサン系樹脂が、下記一般式（Ｉ）で表される化合物であることを特徴とする＜５＞に記載の画像形成装置である。
一般式（Ｉ）    Ｇ−Ｄ−Ｆ
（一般式（Ｉ）中、Ｇは無機ガラス質ネットワークサブグループを表し、Ｄは可とう性有機サブユニットを表し、Ｆは電荷輸送性サブユニットを表す。）
【００１４】
＜７＞  前記一般式（Ｉ）で表される化合物が、下記一般式（ＩＩ）で表される化合物であることを特徴とする＜６＞に記載の画像形成装置である。
【００１５】
【化２】
2005010489.tif 000002
【００１６】
（一般式（ＩＩ）中、Ａｒ１〜Ａｒ４はそれぞれ独立に置換又は未置換のアリール基を示し、Ａｒ５は置換若しくは未置換のアリール基又はアリーレン基を示し、かつＡｒ１〜Ａｒ５のうち１〜４個は−Ｄ−Ｇで表される結合基と結合可能な結合手を有する。Ｄは可とう性サブユニット、Ｇは−Ｓｉ（Ｒ１）（３−ｂ）Ｑａで示される加水分解性基を有する置換ケイ素基から誘導され、Ｒ１は水素、アルキル基、置換或いは未置換のアリール基、Ｑは加水分解性基を表す基、ａは１〜３の整数、ｂは１〜４の整数を表す。）
【００１７】
【発明の実施の形態】
以下、本発明の電子写真感光体用クリーニング装置及び画像形成装置を詳細に説明する。
【００１８】
＜電子写真感光体用クリーニング装置＞
本発明の電子写真感光体用クリーニング装置は、電子写真感光体表面に当接配置された第１のブラシローラと、該第１のブラシローラに当接配置された第１の回収部材と、前記第１のブラシローラに対し前記電子写真感光体の回転方向下流側に当接配置されると共に、当該電子写真感光体表面に固形潤滑剤を供給する機能を有する第２のブラシローラと、該第２のブラシローラに当接配置された第２の回収部材と、を有する電子写真感光体用クリーニング装置であって、
前記第１のブラシローラを構成するブラシ繊維１本当たりの先端力Ｆ１が下記関係式（１）を満たし、かつ、前記第２のブラシローラを構成するブラシ繊維１本当たりの先端力Ｆ２が下記関係式（２）を満たすことを特徴とする。
関係式（１）  ５．０×１０−５  ≦  Ｆ１  ≦  １．５×１０−３
関係式（２）  ４．０×１０−５  ≦  Ｆ２  ≦  ５．０×１０−４
なお、以下、本発明の電子写真感光体用クリーニング装置は、単にクリーニング装置と称する場合があり、電子写真感光体も単に感光体と称する場合がある。
【００１９】
また、本発明において、関係式（１）は、
９．０×１０−５  ≦  Ｆ１  ≦  １．２×１０−３
の範囲であることがより好ましく、
１．０×１０−４  ≦  Ｆ１  ≦  ９．０×１０−４
の範囲であることが更に好ましい。
一方、関係式（２）は、
７．０×１０−５  ≦  Ｆ２  ≦  ３．０×１０−４
の範囲であることがより好ましく、
９．０×１０−５  ≦  Ｆ２  ≦  １．０×１０−４
の範囲であることが更に好ましい。
【００２０】
なお、本発明において、第１のブラシローラを構成するブラシ繊維全体に対して６０％以上のブラシ繊維の先端力Ｆ１が上記の範囲内であることが好ましく、８０％以上のブラシ繊維の先端力Ｆ１が上記の範囲内であることがより好ましく、最も好ましくは、全てブラシ繊維の先端力Ｆ１が上記の範囲内であることである。
同様に、第２のブラシローラを構成するブラシ繊維全体に対して６０％以上のブラシ繊維の先端力Ｆ２が上記の範囲内であることが好ましく、８０％以上のブラシ繊維の先端力Ｆ２が上記の範囲内であることがより好ましく、最も好ましくは、全てブラシ繊維の先端力Ｆ２が上記の範囲内であることである。
【００２１】
次に、先端力Ｆ１及び先端力Ｆ２について説明する。
本発明において、先端力Ｆ１及び先端力Ｆ２は、いずれも、下記式（３）から算出される。
式（３）  先端力Ｆ＝ＢＰＩ×Ｅ×０．２５×φ４×ＰＨ−３
（式（３）中、ＢＰＩはブラシ繊維の感光体への干渉量（ｍｍ）を表し、Ｅはブラシ繊維のヤング率（ｇｆ／ｍｍ２）を表し、φはブラシ繊維径（ｍｍ）を表し、ＰＨはブラシ繊維長さ（ｍｍ）を表す。）
ここで、先端力Ｆ（先端力Ｆ１及び先端力Ｆ２のどちらにおいても）の単位は、（ｇｆ）となり、１ｇｆ＝９．８ｍＮである。
【００２２】
なお、式（３）において、ＢＰＩで表されるブラシ繊維の感光体への干渉量（ｍｍ）は、第１のブラシローラや第２のブラシローラのブラシ繊維の先端が感光体に対して、どの程度、食い込んでいるかを示したものであり、これは、感光体とブラシローラとの距離寸法により、算出されるものである。
【００２３】
本発明においては、上記のブラシ繊維の感光体への干渉量、ブラシ繊維のヤング率、ブラシ繊維径、ブラシ繊維長さ、及び、ブラシ繊維を構成する材料等を、適宜、調整・選択することで、先端力Ｆ１及び先端力Ｆ２を上記の範囲内に制御することができる。
【００２４】
より具体的には、先端力Ｆ１及び先端力Ｆ２を上記の範囲内に制御するために、例えば、ブラシ繊維の感光体への干渉量、ブラシ繊維のヤング率、ブラシ繊維径、及びブラシ繊維長さ、を適宜以下のように調整することが好ましい。
・ブラシ繊維の感光体への干渉量の好ましい範囲：０．３〜２ｍｍ
・ブラシ繊維のヤング率の好ましい範囲：１５０ｋｇｆ／ｍｍ２（１４７０Ｎ／ｍｍ２）〜４００ｋｇｆ／ｍｍ２（３９２０Ｎ／ｍｍ２）
・ブラシ繊維径の好ましい範囲：１５〜４５μｍφ
・ブラシ繊維長さの好ましい範囲：１〜１０ｍｍ
【００２５】
本発明において、先端力Ｆ１が上記の範囲である第１のブラシローラを用いることにより、かかる第１のブラシローラにより、感光体表面における転写残トナー、再転写トナーがクリーニング領域に突入した際に、その大部分をクリーニングすることが可能である。また、トナーのクリーニングを行うと同時に、感光体表面に付着している放電生成物等の付着物を掻き取ることも可能であり、結果的に、高温高湿環境における画質劣化を防止できる。
また、先端力Ｆ２が上記の範囲であり、かつ、感光体表面へ潤滑剤を塗布する機能を有する第２のブラシローラを用いることにより、第１のブラシローラより先端力の小さいことから、感光体表面へダメージを与えることなく、均一に潤滑剤を塗布することができる。これにより、感光体表面に潤滑性を付与し、感光体表面の傷やトナー成分固着等の表面欠陥を防止することができる。同時に、第１のブラシローラにより回収できなかったトナーの回収も可能である。
【００２６】
また、第１のブラシローラを構成するブラシ繊維１本当たりの先端力Ｆ１が５．０×１０−５（ｇｆ）未満の場合、転写残トナーや、再転写トナーがクリーニング領域に突入する際に、第１ブラシローラーにおけるトナークリーニング能力が不足し、クリーニング不良が発生し、画質欠陥が生じてしまう。また、先端力Ｆ１が１．５×１０−３（ｇｆ）より大きい場合には、トナークリーニング能力は高くなるが、感光体表面へ与えるダメージが大きくなり、感光体表面への傷の発生や、トナー固着等の表面故障が発生し、画像欠陥が生じてしまう。
一方、第２のブラシローラを構成するブラシ繊維１本当たりの先端力Ｆ２が３．０×１０−５（ｇｆ）未満の場合、感光体表面へ均一に潤滑剤を塗布することができず、感光体表面への傷の発生や、トナー固着等の表面故障が発生する。また、先端力Ｆ２が５．０×１０−４（ｇｆ）より大きい場合には、感光体表面への潤滑剤供給が過剰となり、白抜け等の画質欠陥を生じさせてしまう。
【００２７】
ここで、本発明の電子写真感光体用クリーニング装置において、第２のブラシローラにより電子写真感光体表面へと供給される固形潤滑剤としては、脂肪酸金属塩であることが好ましく、具体的には、シリコーンオイル、ステアリン酸アルミニウム、ステアリン酸亜鉛、ステアリン酸カルシウム等が挙げられ、中でも、ステアリン酸亜鉛が好ましい。
このように、固形潤滑剤としての脂肪酸金属塩を感光体表面へ均一に塗布し、感光体表面へ潤滑性を付与することにより、放電生成物等の付着物を掻き取りやすく、かつ、付着しにくくすることが可能となり、また、ブラシローラが感光体表面へ与えるダメージを軽減し、傷等を防止することができる。
【００２８】
また、本発明の電子写真感光体用クリーニング装置において、第１のブラシローラ及び第２のブラシローラには、正極若しくは負極の電圧が印加され、かつ、前記第１の回収部材には前記第１のブラシローラより高い電圧が印加され、第２の回収部材には前記第２のブラシローラより高い電圧が印加されることが好ましい。
【００２９】
電子写真感光体３０表面に残留するトナー等は、転写工程における転写電界の影響でその極性にバラツキを生じており、現像器内のトナーに対して正極から逆極に反転した物まで混在する。そのため、上述の如く、第１のブラシローラ及び第２のブラシローラに正極若しくは負極の電圧を印加することで、電子写真感光体３０表面に残留する正極の転写残トナー及び逆極に反転した転写残トナーを効率的にクリーニングすることができる。
【００３０】
また、電子写真感光体３０表面に残留するトナー等は、転写工程における転写部材の転写電界の影響でその極性にバラツキを生じているが、その大半は現像器内のトナーに対して正極のままで存在する。そこで、第１のブラシローラと第２のブラシローラとの間で、印加する電圧の極性を異なるものにすることで、一方のブラシローラで転写残トナーの大半を占める正極トナーを静電的に吸着させ、他方のブラシローラで逆極性に反転したトナーを静電的に吸着させることができるため、結果的に、転写残トナーの極性に関らず、より効率的なクリーニングが可能となる。
特に、電子写真感光体３０の回転方向に対して、上流側に接触配置されている第１のブラシローラに印加する電圧を、現像器内のトナーの極性に対して逆極性とし、下流側に接触が位置されている第２のブラシローラに印加する電圧を、現像器内のトナーの極性に対して正極性とすると、効率よくトナーを吸着できるため好ましい。
【００３１】
また、本発明の電子写真感光体用クリーニング装置において、第１の回収部材には第１のブラシローラより高い電圧が印加され、第２の回収部材には第２のブラシローラより高い電圧が印加されることが好ましい。このように、ブラシローラと該ブラシローラに当接配置される回収部材との間に電位差を設けることによって、電子写真感光体表面から掻き取られ、ブラシローラに付着したトナーや他の付着物を、静電的に効率よく回収部材へと吸着移動させることができる。
なお、第１のブラシローラと第１の回収部材との電位差、第２のブラシローラと第２の回収部材との電位差、の絶対値は、１００Ｖ以上であることが好ましく、より好ましくは２００Ｖ以上である。
ここで、回収部材へ印加される電圧がブラシローラよりも低い場合には、ブラシローラから回収部材へのトナーや他の付着物の吸着移動が行われず、ブラシローラに付着しているトナーや他の付着物が感光体表面へが擦りつけられてしまい、トナー固着や表面傷等が発生し、画像欠陥を生じさせてしまう場合がある。
【００３２】
次に、本発明の電子写真感光体用クリーニング装置の構成を、図１に基づいて説明する。
本発明の電子写真感光体用クリーニング装置１００は、電子写真感光体３０表面に当接配置された第１のブラシローラ１０と、第１のブラシローラ１０に当接配置された第１の回収部材（第１の回収部材）１２と、第１のブラシローラ１０に対し電子写真感光体３０の回転方向下流側に当接配置されると共に、電子写真感光体３０表面に固形潤滑剤を供給する機能を有する第２のブラシローラ２０と、第２のブラシローラ２０に当接配置された第２の回収ローラ（第２の回収部材）２２と、を有する。また、図１に示されるように、第１のブラシローラ１０、第１の回収ローラ１２、第２のブラシローラ２０、及び第２の回収ローラ２２には、ぞれぞれ、外部電源１０Ａ、１２Ａ、２０Ａ、及び２２Ａに接続しており、所定の電圧が印加されるようになっている。
【００３３】
第１のブラシローラ１０は、回転するシャフト外周上に無数のブラシ繊維を配した形状を有する。ブラシローラ１０は電子写真感光体３０に対し、ブラシ繊維の先端が、所定の量、食い込む位置に接触配置される。また、ブラシローラ１０は電子写真感光体３０の回転方向と逆方向（矢印方向）にブラシローラ１０の周面が回転移動する。この際、ブラシローラ１０のブラシ繊維が電子写真感光体３０と摺接することにより、電子写真感光体３０表面から転写残トナー、再転写トナー、放電生成物等の付着物などを剥離し、第１の回収ローラ１２へと運ぶ働きを担っている。
第１のブラシローラ１０におけるブラシ繊維の材料としては、ナイロン、アクリル、ポリオレフィン、ポリエステル等の樹脂繊維を挙げることができ、導電性粉末やイオン導電剤を配合して導電性を付与したり、繊維一本一本の内部或いは外部に導電層が形成されたもの等を用いることができ、その抵抗値としては繊維単体で１０２〜１０９Ωのものが好ましい。
【００３４】
第１の回収ローラ１２は、その外周部が第１のブラシローラ１０外周面に僅かに食い込む位置に接触配置され、第１のブラシローラ１０に付着したトナーや他の付着物を担持・回収する機能を有する。
第１の回収ローラ１２は、第１のブラシローラ１０の回転方向に対して正回転又は逆回転する。
【００３５】
また、具体的には、第１の回収ローラ１２は、金属シャフトの外周に抵抗層を設けた構成からなる。抵抗層を構成するバインダー樹脂としては、例えば、ポリエチレン、ポリプロピレン、ポリスチレン、ＡＢＳ、ＥＶＡ、メタクリル樹脂等の汎用熱可塑性樹脂；エポキシ、フェノール、ユリア・メラミン、ポリウレタン、シリコーン等の熱硬化樹脂；ナイロン６、ナイロン６６、ナイロン１１、ナイロン１２、ポリアセタール、ポリカーボネート、ポリフェニレンエーテル、ポリエチレンテレフタレート、ポリフェニレンスルフィド、ポリアリレート、ポリアミドイミド、ポリイミド等のエンジニアリングプラスチック類；ポリエーテルエーテルケトン、ポリエーテルイミド、ポリフェニレンサルファイドといった液晶ポリマー；テトラフルオロエチレン−パーフルオロアルキルビニルエーテル共重合体（ＰＦＡ）、ポリクロロトリフルオロエチレン（ＰＣＴＦＥ）、ポリビニリデンフルオライド（ＰＶＤＦ）、テトラフルオロエチレン−エチレン共重合体（ＥＴＦＥ）等のフッ素樹脂を挙げることができるが、特にこれらに限定されない。
【００３６】
また、抵抗層は半導電性の電気抵抗発現のため、上記各種バインダー材料に、導電物質を混入することで電気抵抗が１０２〜１０９Ωに調整されることが好ましい。また、抵抗層の厚みとしては、上記バインダー樹脂の材料と、抵抗値制御のために混入する導電物質とにより任意調整されるが、具体的には０．５〜５ｍｍであることが好ましい。
【００３７】
また、図１に示されるように、第１の回収ローラ１２は、該第１の回収ローラ１２に当接配置されたブレード１４により、その表面に担持したトナーや他の付着物が回収される構成となっている。
ブレード１４は、クリーニングブレード又はスクレーパ等から適宜選択され、高耐久性及び低コストの観点より、ステンレス或いはリン青銅の金属薄板から形成されることが好ましい。なお、ブレード１４の厚さは０．０２〜２ｍｍ程度であるものが好適に用いられる。
【００３８】
第２のブラシローラ２０は、第１のブラシローラ１０と同様に、回転するシャフト外周上に無数のブラシ繊維を配した形状を有する。また、第２のブラシローラ２０は、第１のブラシローラ１０に対し電子写真感光体３０の回転方向下流側に当接配置されると共に、電子写真感光体３０表面に固形潤滑剤を供給する機能を有する。
電子写真感光体３０表面に固形潤滑剤を供給する方法としては、例えば、固形潤滑剤を第２のブラシローラ２０に押し当て、ブラシ繊維に固形潤滑剤を保持させ、該ブラシ繊維を感光体に接触させることで、電子写真感光体３０表面に固形潤滑剤を供給する方法がある。
【００３９】
第２のブラシローラ２０により電子写真感光体３０表面へと供給される固形潤滑剤としては、脂肪酸金属塩であることが好ましく、具体的には、ステアリン酸亜鉛、シリコーンオイル、ステアリン酸アルミニウム、ステアリン酸カルシウム等が挙げられる。
【００４０】
第２の回収ローラ２２は、第１の回収ローラ１２と同様に、その外周部が第２のブラシローラ２０外周面に僅かに食い込む位置に接触配置され、第２のブラシローラ２０に付着したトナーや他の付着物を担持・回収する機能を有し、その構成等も第１の回収ローラ１２と同様である。
また、第２の回収ローラ２２に対しても、ブレード２４が当接配置され、第２の回収ローラ２２表面に担持したトナーや他の付着物が回収される構成となる。
なお、ブレード２４も、上記のブレード１４と同様の機能を有し、その構成も同様である。
【００４１】
なお、図１に示される本発明のクリーニング装置は、第１及び第２の回収部材として、どちらも回収ローラを用いているが、本発明はこれに限定されるものではなく、第１及び第２のブラシローラの表面に付着したトナーや他の付着物を担持・回収する機能を有していれば、どのような構成であってもよい。
【００４２】
＜画像形成装置＞
本発明の画像形成装置は、電子写真感光体と、前記電子写真感光体表面を帯電させる帯電手段と、前記電子写真感光体を露光して静電潜像を形成する露光手段と、トナーにより前記静電潜像を現像してトナー像を形成する現像手段と、転写後の前記電子写真感光体の表面をクリーニングするクリーニング手段とを備える画像形成装置にあって、
前記クリーニング手段が上述した本発明の電子写真感光体用クリーニング装置であることを特徴とする。
以下、本発明の電子写真感光体用クリーニング装置を備える画像形成装置（本発明の画像形成装置）の一例を図２に基づいて説明するが、本発明はこれに限定されるものではない。なお、図に示す主要部のみを説明し、その他はその説明を省略する。
【００４３】
図２は、本発明の画像形成装置の一例を示す概略構成図である。図２に示す画像形成装置は、矢印Ｂ方向に回転する感光体（電子写真感光体）３０と、その周囲に配される、感光体３０表面を所定の電位に帯電させる帯電部材（帯電手段）４０、帯電された感光体３０表面を画像信号に基づくレーザー光線５２よって露光して静電潜像を形成する露光装置（露光手段）５０、帯電されたトナー（現像剤）を供給して前記静電潜像を現像する現像器（現像手段）６０、現像されたトナー像を記録紙（転写材）Ｐ上に転写する転写部材（転写手段）７０、及び、転写後の感光体３０表面に残留するトナーを除去する電子写真感光体用クリーニング装置１００が順に配設されている。ここで、図２に示す画像形成装置には、電子写真感光体用クリーニング装置１００として、前述の本発明の電子写真感光体用クリーニング装置が用いられており、該電子写真感光体用クリーニング装置の各構成要素は、図１と同一の符号が付されている。
【００４４】
まず、感光体３０はその表面を帯電部材４０によって−６００Ｖ〜−８００Ｖ程度の電位に帯電される。感光体３０は、導電性の基体上に感光層を積層して形成されている。この感光層は、通常は高抵抗であるが、露光装置５０からレーザー光線５２が照射されると、レーザー光線５２が照射された部分の比抵抗が変化する性質を持っている。そこで、帯電した感光体３０の表面に、図示しない制御部から送られてくる画像データに従って、露光装置５０を介してレーザー光線５２を出力する。レーザー光線５２は、感光体３０の表面の感光層に照射され、それにより、印字パターンの静電潜像が感光体３０の表面に形成される。
【００４５】
このようにして感光体３０表面に形成された静電潜像は、感光体３０の矢印Ｂ方向への回転により所定の現像位置まで回転される。そして、この現像位置で、感光体３０上の静電潜像が、現像器６０によって可視像（トナー像）化される。
【００４６】
感光体３０の表面が現像器６０を通過することにより、感光体３０表面の除電された潜像部にのみトナーが静電的に付着し、潜像がトナーによって現像される。感光体３０は、引続き矢印Ｂ方向に回転し、感光体３０表面に現像されたトナー像が所定の転写位置へ搬送される。
【００４７】
感光体３０表面のトナー像が転写位置へ搬送されると、転写部材７０に所定の転写バイアスが印加され、感光体３０から転写部材７０に向う静電気力がトナー像に作用し、感光体３０表面のトナー像が記録紙Ｐ上へ転写される。また、感光体３０表面の残留トナーは、電子写真感光体用クリーニング装置１００により除去される。
【００４８】
図２に示す画像形成装置は、電子写真感光体用クリーニング装置１００として本発明の電子写真感光体用クリーニング装置を用いているため、転写部材の転写電界の影響で正極から逆極に反転した物まで混在する電子写真感光体３０表面に残留するトナーや、他の付着物を効率的にクリーニングすることが可能である。また、本発明の電子写真感光体用クリーニング装置により、電子写真感光体３０表面に固形潤滑剤が供給されることで、電子写真感光体３０表面に傷が発生することを防止でき、更に、トナー成分の固着が抑制されることから表面欠陥を防止することができる。
【００４９】
本発明の画像形成装置おいて、電子写真感光体が、電荷輸送性を有すると共に架橋構造を有するシロキサン系樹脂を含む表面層を備え、かつ、トナーが、体積平均粒径３〜１０μｍの範囲で、形状係数ＳＦが１００〜１４０の範囲の球形状トナーであることが好ましい。
ここで、電荷輸送性を有すると共に架橋構造を有するシロキサン系樹脂を含む表面層について説明する。かかるシロキサン系樹脂としては、下記一般式（Ｉ）で表される化合物であることが好ましい。
一般式（Ｉ）    Ｇ−Ｄ−Ｆ
（一般式（Ｉ）中、Ｇは無機ガラス質ネットワークサブグループを表し、Ｄは可とう性有機サブユニットを表し、Ｆは電荷輸送性サブユニットを表す。）
【００５０】
一般式（Ｉ）におけるＦは、光キャリア輸送特性を有する構造として、トリアリールアミン系化合物、ベンジジン系化合物、アリールアルカン系化合物、アリール置換エチレン系化合物、スチルベン系化合物、アントラセン系化合物、ヒドラゾン系化合や、及びキノン系化合物、フルオレノン化合物、キサントン系化合物、ベンゾフェノン系化合物、シアノビニル系化合物、エチレン系化合物等が挙げられる。
【００５１】
一般式（Ｉ）におけるＧは、反応性を有するＳｉ基であることが好ましく、Ｇの部分同士で互いに架橋反応を起こして３次元的なＳｉ−Ｏ−Ｓｉ結合、すなわち無機ガラス質ネットワークを形成する。
【００５２】
一般式（Ｉ）におけるＤは、電荷輸送性を付与するための前記Ｆを、３次元的な無機ガラス質ネットワークに直接的に結合させるためのものである。また、堅さの反面、脆さも有する無機ガラス質ネットワークに適度な可とう性を付与し、膜としての強度を向上させるという働きもある。
具体的には、ｎを１〜１５の整数とした場合の−ＣｎＨ２ｎ−、ＣｎＨ（２ｎ−２）−、−ＣｎＨ（２ｎ−４）−で表される２価の炭化水素基、−ＣＯＯ−、−Ｓ−、−Ｏ−、−ＣＨ２−Ｃ６Ｈ４−、−Ｎ＝ＣＨ−、−（Ｃ６Ｈ４）−（Ｃ６Ｈ４）−、及び、これらの組み合わせや置換基を導入したもの等が使用できる。
【００５３】
一般式（Ｉ）で表される化合物は、例えば、特開平３−１９１３５８号公報に記載のゾルーゲル法により得ることができる。
また、前記一般式（Ｉ）で表される化合物が、下記一般式（ＩＩ）で表される化合物であることが好ましい。
【００５４】
【化３】
2005010489.tif 000003
【００５５】
（一般式（ＩＩ）中、Ａｒ１〜Ａｒ４はそれぞれ独立に置換又は未置換のアリール基を示し、Ａｒ５は置換若しくは未置換のアリール基又はアリーレン基を示し、かつＡｒ１〜Ａｒ５のうち１〜４個は−Ｄ−Ｇで表される結合基と結合可能な結合手を有する。Ｄは可とう性サブユニット、Ｇは−Ｓｉ（Ｒ１）（３−ｂ）Ｑａで示される加水分解性基を有する置換ケイ素基から誘導され、Ｒ１は水素、アルキル基、置換或いは未置換のアリール基、Ｑは加水分解性基を表す基、ａは１〜３の整数、ｂは１〜４の整数を表す。）
【００５６】
一般式（ＩＩ）で表される化合物は、特に優れた正孔輸送性と機械特性を示す。一般式（ＩＩ）におけるＡｒ１〜Ａｒ４はそれぞれ独立に置換又は未置換のアリール基を示し、具体的には、以下に示す構造が挙げられる。
【００５７】
【化４】
2005010489.tif 000004
【００５８】
上記構造中のＡｒは、下記から選択される。
【００５９】
【化５】
2005010489.tif 000005
【００６０】
（ここで、Ｒ６は、水素、炭素数１〜４のアルキル基、炭素数１〜４のアルキル基若しくは炭素数１〜４のアルコキシ基で置換されたフェニル基、又は未置換のフェニル基、炭素数７〜１０のアラルキル基から選択される。Ｒ７〜Ｒ１１は、水素、炭素数１〜４のアルキル基、炭素数１〜４のアルコキシ基、若しくは炭素数１〜４のアルコキシ基で置換されたフェニル基、又は未置換のフェニル基、炭素数７〜１０のアラルキル基、ハロゲンから選択される。ｍ及びｓは０又は１を表わし、Ｘは一般式（１）の定義で既に示した−Ｄ−Ｇで表される置換基を示す。）
【００６１】
また、上記構造中のＺ’は、下記から選択される。
【００６２】
【化６】
2005010489.tif 000006
【００６３】
（ここで、Ｒ１２及びＲ１３は、水素原子、炭素数１〜４のアルキル基、炭素数１〜４のアルコキシ基、フェニル基、炭素数７〜１０のアルコキシフェニル基、炭素数７〜１０のアラルキル基及びハロゲン原子のいずれかを示す。ｑ及びｒは１〜１０の整数、ｔ，ｔ’は１〜３の整数を示す。）
【００６４】
上記構造中のＷは、下記の基から選択される。
【００６５】
【化７】
2005010489.tif 000007
【００６６】
（ここで、ｓ’は０〜３の整数を示す。）
【００６７】
一般式（ＩＩ）におけるＡｒ５の具体的構造としては、ｋ＝０の時は上記Ａｒ１〜Ａｒ４のいずれかでｍ＝１の構造が、ｋ＝１の時の時は上記Ａｒ１〜Ａｒ４のいずれかでｍ＝０の構造が挙げられる。
【００６８】
上記一般式（ＩＩ）で表される化合物における電荷輸送性サブユニット（一般式（Ｉ）におけるＦ）の具体例については、特開２００３−６６６３７号公報の［表１］〜［表５５］に記載されているものを挙げることができる。
【００６９】
また、電荷輸送性を有すると共に架橋構造を有するシロキサン系樹脂を含む表面層において、シロキサン系樹脂の含有量は、表面層の全固形分中、２０〜８０質量％の範囲であることが好ましく、３０〜７０質量％の範囲であることがより好ましい。
【００７０】
また、このような表面層を有する電子写真感光体との併用に好適であるトナーは、体積平均粒径３〜１０μｍの範囲で、形状係数（ＳＦ）が１００〜１４０の範囲の球形状トナーであることが好ましい。ここで、球形状トナーとは、高転写効率を達成し得る、完全な真球及び真球に近い形状を有するトナーを意味する。なお、「球形状」が意味する定量性については後述する。また、前記球形状トナーは、通常は重合法或いは溶解法等の湿式法により製造されるものであるが、ほぼ球形状のトナーが得られるのであれば、その製造方法は特に限定されず、例えば、機械粉砕法等の他の製法により製造されるものであってもよい。
【００７１】
本発明に用いられる球形状トナーの、「球形状」の程度は下記式（４）で表される形状係数（ＳＦ）によって定量的に表現され、この値が、１００である場合は真球を意味し、１００に近いほど、その形状が真球に近いことを意味する。本発明において、この形状係数（ＳＦ）は、１００〜１４０の範囲であることが好ましく、１０５〜１３５の範囲がより好ましい。
式（４）  ＳＦ＝（２πＬ２／４Ａ）×１００
〔式（４）において、Ｌは、球形状トナー粒子投影像の最大長さ（μｍ）を表し、Ａは、該球形状トナー粒子投影像の面積（μｍ２）を表す。〕
【００７２】
形状係数（ＳＦ）が、１４０を超える場合は、球形状トナーの像担持体表面に対する接触面積が大きくなるために、この球形状トナーの像担持体表面に対する付着力が大きくなり、転写効率が低下する場合がある。従って、このような場合には、画像を形成するために利用されることなく廃棄されるトナーが増加し、経済的にも、環境上も好ましくない。
【００７３】
なお、形状係数（ＳＦ）は、上記の画像解析装置（株式会社ネクサス製：ＮＥＸＵＳ）を用いて、重合法等により得られた球形状トナー粒子１００個の各々について、その投影像の最大長さＬ（μｍ）及び該球形状トナー粒子投影像の面積Ａ（μｍ２）を計測し、これらの値を上記式（４）に代入して得られた個々の値を平均して求めたものである。
【００７４】
また、本発明に用いられる球形状トナーの体積平均粒径は、３μｍ〜１０μｍの範囲内であることが好ましく、４μｍ〜８μｍの範囲内であることがより好ましい。
体積平均粒径が３μｍ未満の場合では、球形状トナーが現像器から飛散しやすくなるため画像形成装置内の汚染等を発生させたり、また、二成分現像剤では前記トナーがキャリアへ付着しやすくなるためトナーの帯電性を低下させてしまう場合がある。一方、体積平均粒径が１０μｍを超えた場合では、画質の低下を招きやすくなる等の不具合が発生する。
【００７５】
以上、本発明の好ましい実施の形態を説明したが、本発明はその要旨の範囲内で様々な変形や変更が可能である。
【００７６】
【実施例】
以下、実施例により本発明を詳細に説明するが、本発明はこれらの実施例に限定されるものではない。
【００７７】
各々の実施例及び比較例においては、図１に示される本発明の電子写真感光体用クリーニング装置を下記に示すようにそれぞれ変化させて、複写機（富士ゼロックス社製「ＤＣＣ５００」改造機）に装着し、帯電、露光、現像、定着を行い、９００万枚の画像形成テストに供した。
なお、富士ゼロックス社製「ＤＣＣ５００」の電子写真感光体は、電荷輸送性を有すると共に、架橋構造を有するシロキサン系樹脂を含む表面層を有する。
また、使用したトナーは、溶解法により作製された、体積平均粒径が５〜７μｍ、形状係数（ＳＦ）＝１３０の球形状トナーであり、負極帯電性の２成分現像剤として使用した。
【００７８】
［実施例１］
実施例１における電子写真感光体用クリーニング装置の構成は、以下に示す通りである。
【００７９】
（第１のブラシローラ１０）
第１のブラシローラ１０は、材質：  導電性ポリアミド、電気抵抗：１０３Ω、繊維密度：１００，０００本／ｉｎｃｈ２（１ｉｎｃｈ＝２．５４ｃｍ）、繊維１本当たりの先端力Ｆ１：５．０×１０−５（ｇｆ）であるブラシ繊維を有していた。また、第１のブラシローラ１０は、電子写真感光体の回転方向に対して逆回転に周速６０ｍｍ／ｓの速度で回転させた。該ブラシローラへの印加バイアスは＋２００Ｖとした。
なお、第１のブラシローラ１０は、全てのブラシ繊維の先端力Ｆ１が５．０×１０−５（ｇｆ）であった。
【００８０】
（第２のブラシローラ２０）
第２のブラシローラ２０は、材質：  導電性ポリアミド、電気抵抗：１０４Ω、繊維密度：８０，０００本／ｉｎｃｈ２、繊維１本当たりの先端力Ｆ１：４．０×１０−５（ｇｆ）であるブラシ繊維を有していた。また、第２のブラシローラ２０は、電子写真感光体の回転方向に対して逆回転に周速６２ｍｍ／ｓの速度で回転させた。該ブラシローラへの印加バイアスは−４００Ｖとした。
なお、第２のブラシローラ２０は、全てのブラシ繊維の先端力Ｆ２が４．０×１０−５（ｇｆ）であった。
【００８１】
（第１の回収ローラ１２）
第１の回収ローラ１２は、表面層として、厚さ２ｍｍ導電性カーボンを分散したフェノール樹脂層を有し、電気抵抗：１０３Ωであった。
また、第１の回収ローラ１２の周速は７５ｍｍ／ｓ、また、第１の回収ローラ１２への印加バイアスは＋４００Ｖ、第１のブラシローラ１０への食い込み量は１．５ｍｍとした。
また、第１の回収ローラ１２には、材質：ステンレス、厚み８０μｍのスクレーパー（ブレード１４）が、第１の回収ローラ１２へ接触配置されていた。
【００８２】
（第２の回収ローラ２２）
第２の回収ローラ２２は、表面層として、厚さ４ｍｍ導電性カーボンを分散したフェノール樹脂層を有し、電気抵抗：１０３Ωであった。
また、第２の回収ローラ２２の周速は１０５ｍｍ／ｓ、また、第２の回収ローラ２２への印加バイアスは−８００Ｖ、第２のブラシローラ２０への食い込み量は１．７ｍｍとした。
また、第２の回収ローラ２２には、材質：ステンレス、厚み８０μｍのスクレーパー（ブレード２４）が、第２の回収ローラ２２へ接触配置されていた。
【００８３】
上記構成による画像形成テストの結果を、表１に示す。
なお、表中の○、×は、トナーのクリーニング不良、感光体表面の傷、異物による表面欠陥等により、目標のプリント枚数（９００万枚）に未達の状態で画質において致命的不良が発生した場合×であり、目標のプリント枚数に達しても画質において致命的不良がなく、良好な画像であった場合○とし、また、目標プリント枚数に未達の状態で軽微な画像不良が発生した場合△としている。この、画質不良の×と△の違いとしては、画質上筋、濃度むら等はっきりと判別できるものを×、ある環境下においてのみ画質欠陥が生じる場合、たとえば高温高湿環境に限り画像流れが生じる際には△としている。
なお、表１中、実施例１は、（実１）と表記されている。
【００８４】
【表１】
2005010489.tif 000008
【００８５】
［実施例２〜９、比較例１〜４０］
実施例１における、第１のブラシローラ１０のブラシ繊維１本当たりの先端力Ｆ１と、第２のブラシローラ２０のブラシ繊維１本当たりの先端力Ｆ２と、を表１のように代えた電子写真感光体用クリーニング装置を用いた以外は、実施例１と同様にして、画像形成テストに供した。結果を表１に併記する。
なお、表１中、実施例２〜９は、（実２）〜（実９）と表記され、比較例１〜４０は、（比１）〜（比４０）と表記されている。
【００８６】
なお、実施例２〜９、及び比較例１〜４０において使用した先端力Ｆ１が、それぞれ、３．０×１０−６（ｇｆ）、３．０×１０−５（ｇｆ）、６．０×１０−４（ｇｆ）、１．５×１０−３（ｇｆ）、３．０×１０−３（ｇｆ）、８．０×１０−３（ｇｆ）を示す第１のブラシローラ１０は、以下に示すブラシ繊維を有していた。また、同様に、先端力Ｆ２が、それぞれ、３．０×１０−６（ｇｆ）、２．０×１０−５（ｇｆ）、１．０×１０−４（ｇｆ）、５．０×１０−４（ｇｆ）、７．０×１０−４（ｇｆ）、２．０×１０−３（ｇｆ）を示す第２のブラシローラ２０も、以下に示すブラシ繊維を有していた。
ここで、第１のブラシローラ１０、第２のブラシローラ２０は共に、全てのブラシ繊維の先端力Ｆ１、先端力Ｆ２がそれぞれの値を有していた。
【００８７】
（先端力Ｆ１が、３．０×１０−６（ｇｆ）の第１のブラシローラ１０）
材質：導電性ポリアミド、電気抵抗：１０４Ω、繊維密度：１００，０００本／ｉｎｃｈ２であるブラシ繊維を有していた。
【００８８】
（先端力Ｆ１が、３．０×１０−５（ｇｆ）の第１のブラシローラ１０）
材質：導電性アクリル、電気抵抗：１０５Ω、繊維密度：８０，０００本／ｉｎｃｈ２であるブラシ繊維を有していた。
【００８９】
（先端力Ｆ１が、６．０×１０−４（ｇｆ）の第１のブラシローラ１０）
材質：導電性ポリアミド、電気抵抗：１０４Ω、繊維密度：１２０，０００本／ｉｎｃｈ２であるブラシ繊維を有していた。
【００９０】
（先端力Ｆ１が、１．５×１０−３（ｇｆ）の第１のブラシローラ１０）
材質：導電性ポリエステル、電気抵抗：１０３Ω、繊維密度：１２０，０００本／ｉｎｃｈ２であるブラシ繊維を有していた。
【００９１】
（先端力Ｆ１が、３．０×１０−３（ｇｆ）の第１のブラシローラ１０）
材質：導電性ポリアミド、電気抵抗：１０４Ω、繊維密度：１００，０００本／ｉｎｃｈ２であるブラシ繊維を有していた。
【００９２】
（先端力Ｆ１が、８．０×１０−３（ｇｆ）の第１のブラシローラ１０）
材質：導電性ポリアミド、電気抵抗：１０５Ω、繊維密度：８０，０００本／ｉｎｃｈ２であるブラシ繊維を有していた。
【００９３】
（先端力Ｆ２が、３．０×１０−６（ｇｆ）の第２のブラシローラ２０）
材質：導電性ポリアミド、電気抵抗：１０３Ω、繊維密度：１００，０００本／ｉｎｃｈ２であるブラシ繊維を有していた。
【００９４】
（先端力Ｆ２が、２．０×１０−５（ｇｆ）の第２のブラシローラ２０）
材質：導電性ポリアミド、電気抵抗：１０４Ω、繊維密度：１２０，０００本／ｉｎｃｈ２であるブラシ繊維を有していた。
【００９５】
（先端力Ｆ２が、１．０×１０−４（ｇｆ）の第２のブラシローラ２０）
材質：導電性ポリアミド、電気抵抗：１０５Ω、繊維密度：１００，０００本／ｉｎｃｈ２であるブラシ繊維を有していた。
【００９６】
（先端力Ｆ２が、５．０×１０−４（ｇｆ）の第２のブラシローラ２０）
材質：導電性ポリアミド、電気抵抗：１０４Ω、繊維密度：１００，０００本／ｉｎｃｈ２であるブラシ繊維を有していた。
【００９７】
（先端力Ｆ２が、７．０×１０−４（ｇｆ）の第２のブラシローラ２０）
材質：導電性アクリル、電気抵抗：１０３Ω、繊維密度：８０，０００本／ｉｎｃｈ２であるブラシ繊維を有していた。
【００９８】
（先端力Ｆ２が、２．０×１０−３（ｇｆ）の第２のブラシローラ２０）
材質：  導電性ポリエステル、電気抵抗：１０４Ω、繊維密度：８０，０００本／ｉｎｃｈ２であるブラシ繊維を有していた。
【００９９】
表１に明らかなように、第１のブラシローラ１０のブラシ繊維１本当たりの先端力Ｆ１が３．０×１０−５（ｇｆ）以下であると、画質欠陥が生じてしまっていた。これは、感光体表面の転写残トナーや、再転写トナーがクリーニング領域に突入する際に、第１ブラシローラーにおけるトナークリーニング能力不足により、クリーニング不良が発生したためと思われる。また、先端力Ｆ１が３．０×１０−３（ｇｆ）以上の場合も画像欠陥が生じた。これは、先端力Ｆ１を上げることで、トナークリーニング能力は高くなるが、感光体表面へ与えるダメージが大きくなり、感光体表面の傷や、トナー固着等の表面故障が発生してしまったためと思われる。
一方、第２のブラシローラ２０のブラシ繊維１本当たりの先端力Ｆ２が２．０×１０−５（ｇｆ）以下の場合、画質欠陥が生じてしまっていた。これは、第２のブラシローラ２０が、感光体表面へ均一に潤滑剤を塗布することができず、感光体表面の傷やトナー固着等の表面故障が発生してしまったためと思われる。また、先端力Ｆ２が７．０×１０−４（ｇｆ）以上の場合も画像欠陥が生じた。これは、第２のブラシローラ２０が感光体表面へと強く摺接するため、潤滑剤供給が過剰となり、白抜け等を生じさせてしまうためと思われる。
【０１００】
［実施例１０］
実施例１において、富士ゼロックス社製「ＤＣＣ５００」の電子写真感光体にシロキサン系樹脂を含む表面層を設けていないものを用いた以外は、実施例１と同様の構成の本発明の電子写真感光体用クリーニング装置を、複写機（富士ゼロックス社製「ＤＣＣ５００」改造機）に装着して、画像形成テストに供した。
その結果、目標のプリント枚数９００万枚に達していても、画質における致命的不良が発生せず、実用上問題のない画像が得られた。
ここで、９００万枚プリント後の感光体表面を観察したところ、本発明の電子写真感光体用クリーニング装置の第１のブラシローラ１０及び第２のブラシローラ２０による傷が発生していたことが確認された。これにより、これ以降のプリントにおいて、画質劣化の恐れが推測された。
【０１０１】
【発明の効果】
本発明によれば、感光体表面への傷の発生を防止すると共に、異物固着を防止し、長期に渡って安定なクリーニング性を維持できるクリーニング装置、及び該クリーニング装置を備える画像形成装置を提供することができる。また、特に、表面層にシロキサン樹脂層を有する感光体と、球形状トナーと、を用いた画像形成装置においても、上記の効果が得られるクリーニング装置、及び該クリーニング装置を備える画像形成装置を提供することができる。
【図面の簡単な説明】
【図１】本発明の電子写真感光体用クリーニング装置の構成を示す概略断面図である。
【図２】本発明の画像形成装置の一例を示す概略断面図である。
【符号の説明】
１０  第１のブラシローラ
１２  第１の回収ロール（第１の回収部材）
１４  ブレード
２０  第２のブラシローラ
２２  第２の回収ロール（第２の回収部材）
２４  ブレード
３０  電子写真感光体（感光体）
４０  帯電部材（帯電手段）
５０  露光装置（露光手段）
５２  レーザー光線
６０  現像器（現像手段）
７０  転写部材（転写手段）
１００  電子写真感光体用クリーニング装置
２００  画像形成装置
Ｐ  記録紙（転写材）
【図１】
2005010489.tif 000010
【図２】
2005010489.tif 000011